(57)【特許請求の範囲】
【請求項１】
連続する複数のリソースブロックからなる小サイズのリソースブロックグループまたはリソースブロックを基本ブロックとし、当該基本ブロック毎に分かれた周波数帯域に対し、複数のクラスタの非連続な割り当て位置を決定するスケジューリング部と、
複数の前記基本ブロックからなる大サイズのリソースブロックグループのグループ番号により、移動端末装置に対して前記複数のクラスタの割り当て位置を指示する上りリンク割り当て情報を生成する上り制御情報生成部と、
前記上りリンク割り当て情報を前記移動端末装置に送信する送信部とを備えたことを特徴とする基地局装置。
【請求項２】
前記スケジューリング部は、前記複数のクラスタとして第１のクラスタ及び第２のクラスタの割り当て位置を決定し、
前記上り制御情報生成部は、前記第１のクラスタ及び前記第２のクラスタの割り当て位置を指示する上りリンク割り当て情報を生成し、
周波数方向でｎ番目の前記大サイズのリソースブロックグループに対応する第１のクラスタの割り当て位置を、グループ番号ｎとグループ番号ｎ＋１とで規定し、
周波数方向でｎ番目の前記大サイズのリソースブロックグループの前半を構成する基本ブロックに対応する第１のクラスタの割り当て位置を、グループ番号ｎとグループ番号ｎ＋２とで規定し、
周波数方向でｎ番目の前記大サイズのリソースブロックグループの後半を構成する基本ブロックに対応する第１のクラスタの割り当て位置を、グループ番号ｎとグループ番号ｎ＋３とで規定し、
周波数方向でｎ番目からｍ番目（ｍ＞ｎ）までの前記大サイズのリソースブロックグループに対応する第１のクラスタの割り当て位置を、グループ番号ｎとグループ番号ｍ＋３とで規定することを特徴とする請求項１に記載の基地局装置。
【請求項３】
前記上り制御情報生成部は、
周波数方向でｉ番目（ｉ＞ｍ＋１）の前記大サイズのリソースブロックグループに対応する第２のクラスタの割り当て位置を、グループ番号ｉ＋２とグループ番号ｉ＋３とで規定し、
周波数方向でｉ番目の前記大サイズのリソースブロックグループの前半を構成する基本ブロックに対応する第２のクラスタの割り当て位置を、グループ番号ｉ＋２とグループ番号ｉ＋４とで規定し、
周波数方向でｉ番目の前記大サイズのリソースブロックグループの後半を構成する基本ブロックに対応する第２のクラスタの割り当て位置を、グループ番号ｉ＋２とグループ番号ｉ＋５とで規定し、
周波数方向でｉ番目からｊ番目（ｊ＞ｉ）までの前記大サイズのリソースブロックグループに対応する第２のクラスタの割り当て位置を、グループ番号ｉ＋２とグループ番号ｊ＋５とで規定することを特徴とする請求項２に記載の基地局装置。
【請求項４】
前記大サイズのリソースブロックグループは、前記小サイズのリソースブロックグループの２倍のサイズであることを特徴とする請求項１から請求項３のいずれかに記載の基地局装置。
【請求項５】
連続する複数のリソースブロックからなる小サイズのリソースブロックグループまたはリソースブロックを基本ブロックとし、当該基本ブロック毎に分かれた周波数帯域に対する複数のクラスタの非連続な割り当て位置を、複数の前記基本ブロックからなる大サイズのリソースブロックグループのグループ番号により指示する上りリンク割り当て情報を受信する受信部と、
前記上りリンク割り当て情報に基づいて、前記複数のクラスタを用いて上りデータを基地局装置に送信する送信部とを備えたことを特徴とする移動端末装置。
【請求項６】
前記受信部は、前記複数のクラスタとしての第１のクラスタおよび第２のクラスタの割り当て位置を指示する上りリンク割り当て情報を受信し、
当該上りリンク割り当て情報において、
周波数方向でｎ番目の前記大サイズのリソースブロックグループに対応する第１のクラスタの割り当て位置が、グループ番号ｎとグループ番号ｎ＋１とで規定され、
周波数方向でｎ番目の前記大サイズのリソースブロックグループの前半を構成する基本ブロックに対応する第１のクラスタの割り当て位置が、グループ番号ｎとグループ番号ｎ＋２とで規定され、
周波数方向でｎ番目の前記大サイズのリソースブロックグループの後半を構成する基本ブロックに対応する第１のクラスタの割り当て位置が、グループ番号ｎとグループ番号ｎ＋３とで規定され、
周波数方向でｎ番目からｍ番目（ｍ＞ｎ）までの前記大サイズのリソースブロックグループに対応する第１のクラスタの割り当て位置が、グループ番号ｎとグループ番号ｍ＋３とで規定されることを特徴とする請求項５に記載の移動端末装置。
【請求項７】
前記受信部が受信した上りリンク割り当て情報において、
周波数方向でｉ番目（ｉ＞ｍ＋１）の前記大サイズのリソースブロックグループに対応する第２のクラスタの割り当て位置が、グループ番号ｉ＋２とグループ番号ｉ＋３とで規定され、
周波数方向でｉ番目の前記大サイズのリソースブロックグループの前半を構成する基本ブロックに対応する第２のクラスタの割り当て位置が、グループ番号ｉ＋２とグループ番号ｉ＋４とで規定され、
周波数方向でｉ番目の前記大サイズのリソースブロックグループの後半を構成する基本ブロックに対応する第２のクラスタの割り当て位置が、グループ番号ｉ＋２とグループ番号ｉ＋５とで規定され、
周波数方向でｉ番目からｊ番目（ｊ＞ｉ）までの前記大サイズのリソースブロックグループに対応する第２のクラスタの割り当て位置が、グループ番号ｉ＋２とグループ番号ｊ＋５とで規定されることを特徴とする請求項６に記載の移動端末装置。
【請求項８】
前記大サイズのリソースブロックグループは、前記小サイズのリソースブロックグループの２倍のサイズであることを特徴とする請求項５から請求項７のいずれかに記載の移動端末装置。
【請求項９】
連続する複数のリソースブロックからなる小サイズのリソースブロックグループまたはリソースブロックを基本ブロックとし、当該基本ブロックに分かれた周波数帯域に対し、複数のクラスタの非連続な割り当て位置を決定するステップと、
複数の前記基本ブロックからなる大サイズのリソースブロックグループのグループ番号により、移動端末装置に対して前記複数のクラスタの割り当て位置を指示する上りリンク割り当て情報を生成するステップと、
前記上りリンク割り当て情報を前記移動端末装置に送信するステップとを有することを特徴とする基地局装置の通信制御方法。
【発明の詳細な説明】
【技術分野】
【０００１】
本発明は、次世代移動通信システムにおける基地局装置、移動端末装置および通信制御方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（LTE-A））。ＬＴＥ−Ａでは、上りリンクにおいて、周波数スケジューリング効果を増大させるために、割当リソースブロックを非連続な複数のクラスタに割り当てることを許容することが合意されている。
【先行技術文献】
【非特許文献】
【０００４】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００５】
上記したように、上りリンクにおいて割当リソースブロックが非連続で割り当てられると、基地局装置から移動端末装置に対して上りリンクのリソース割り当て用のシグナリング量が大幅に増大するという問題がある。
【０００６】
本発明はかかる点に鑑みてなされたものであり、割当リソースブロックが非連続で割り当てられる際に、上りリンクのリソース割り当て用のシグナリング量の増加を抑えることができる基地局装置、移動端末装置および通信制御方法を提供することを目的とする。
【課題を解決するための手段】
【０００７】
本発明の基地局装置は、連続する複数のリソースブロックからなる小サイズのリソースブロックグループまたはリソースブロックを基本ブロックとし、当該基本ブロック毎に分かれた周波数帯域に対し、複数のクラスタの非連続な割り当て位置を決定するスケジューリング部と、複数の前記基本ブロックからなる大サイズのリソースブロックグループのグループ番号により、移動端末装置に対して前記複数のクラスタの割り当て位置を指示する上りリンク割り当て情報を生成する上り制御情報生成部と、前記上りリンク割り当て情報を前記移動端末装置に送信する送信部とを備えたことを特徴とする。
【発明の効果】
【０００８】
本発明によれば、相対的にサイズの小さいリソースブロックグループ毎またはリソースブロック毎に分かれた周波数帯域に対するクラスタの割り当て位置が、相対的にサイズの大きいリソースブロックグループのグループ番号により移動端末装置に指示される。このため、周波数帯域に対する各クラスタの割り当てサイズの細分化に伴う、上りリンクのリソース割り当て用のシグナリング量の増加が抑えられる。このように、シグナリング量の増加を抑えつつ、周波数帯域に対する複数クラスタの詳細な割り当てを可能とすることで、周波数スケジューリング効果を増大させることができる。
【図面の簡単な説明】
【０００９】
【図１】ＬＴＥ−Ａシステムのシステム帯域の説明図である。
【図２】上りリンクの非連続リソース割り当ての説明図である。
【図３】ＬＴＥ−Ａシステムにおける上りリンクのリソース割り当てのシグナリング方法の一例の説明図である。
【図４】ＬＴＥ−Ａシステムにおける上りリンクのリソース割り当てのシグナリング方法の他の一例の説明図である。
【図５】本発明に係るＬＴＥ−Ａシステムにおける上りリンクのリソース割り当てのシグナリング方法の説明図である。
【図６】移動通信システムの構成の説明図である。
【図７】基地局装置の全体構成の説明図である。
【図８】移動端末装置の全体構成の説明図である。
【図９】基地局装置が有するベースバンド信号処理部の機能ブロック図である。
【図１０】移動端末装置が有するベースバンド信号処理部の機能ブロック図である。
【発明を実施するための形態】
【００１０】
以下、実施の形態について説明する。なお、以下の説明では、ＬＴＥの後継のシステムをＬＴＥ−Ａと称して説明するが、これに名称が限定されるものではなく、例えば、ＩＭＴ−Ａ、４Ｇと称してもよい。図１は、下りリンクで移動通信が行われる際の周波数使用状態を説明するための図である。図１に示す例は、複数の基本周波数ブロック（以下、コンポーネントキャリア：ＣＣ）で構成される相対的に広い第１システム帯域を持つ第１の通信システムであるＬＴＥ−Ａシステムと、相対的に狭い（ここでは、一つのコンポーネントキャリアで構成される）第２システム帯域を持つ第２の通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数ブロックとなっている。このように複数の基本周波数ブロックを一体として広帯域化することをキャリアアグリゲーションという。
【００１１】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１２】
ところで、図２（ａ）に示すように、ＬＴＥシステムでは、上りリンクの送信データに対して連続した周波数割り当てのみが許容されている。一方、図２（ｂ）に示すように、ＬＴＥ−Ａシステムでは、上りリンクの送信データに対して非連続な周波数割り当てが許容されている（Clustered  DFT-S-OFDM）。ＬＴＥ−Ａシステムにおける非連続な周波数割り当ては、上りリンクの送信データを複数の周波数領域で分割してクラスタ化し、受信環境に応じたスポット的な割り当てを可能としている。このため、システム帯域の利用効率が向上され、周波数スケジューリング効果が増大される。
【００１３】
しかしながら、非連続な周波数割り当てにおいては、クラスタ数の増加に伴い、基地局装置から移動端末装置に通知される上りリンクのリソース割り当て用のシグナリングビット数が増大する。このため、クラスタ数を「２」に設定し、十分なスケジューリング効果を得つつ、リソース割り当て用のシグナリングビット数の増大を最低限に抑えることが検討されている。
【００１４】
クラスタ数が「２」までの場合の効果的なシグナリング方法として、周波数方向に連続するリソースブロック（RB）をリソースブロックグループ（RBG：Resource  Block  Group）として定義し、ＲＢＧ単位でシグナリングすることが検討されている。このシグナリング方法では、基地局装置から移動端末装置に対して、各クラスタの開始ＲＢＧ、終了ＲＢＧをそれぞれ示すＲＢＧ番号が通知される。
【００１５】
例えば、図３に示すように、５０ＲＢからなるシステム帯域は、４ＲＢを１ＲＢＧとした場合に、ＲＢＧ＃０からＲＢＧ＃１２で表わされる。このため、ＲＢ＃８−＃２３の１stクラスタは、ＲＢＧ＃２からＲＢＧ＃５に設定され、ＲＢ＃３６−＃４３の２ndクラスタは、ＲＢＧ＃９、ＲＢＧ＃１０に設定される。よって、基地局装置から移動端末装置に対して、１stクラスタの開始ＲＢＧ番号「２」、終了ＲＢＧ番号「５」、２ndクラスタの開始ＲＢＧ番号「９」、終了ＲＢＧ番号「１０」の計４つのＲＢＧ番号が通知される。なお、システム帯域は、５０ＲＢに限定されるものではなく、適宜変更可能である。
【００１６】
このときのシグナリングビット数は、総ＲＢＧ数（総ＲＢＧ番号数）をＮ、移動端末装置に通知されるＲＢＧ番号数をＭ＝４とした場合、以下の式（１）により算出される。
【数１】
0005298086.tif 000002
このシグナリング方法では、総ＲＢＧ数（総ＲＢＧ番号数）が「１３」となり、ＲＢ単位でシグナリングされる構成と比較して、シグナリングビット数を大幅に減少できる。
【００１７】
ところで、図４（ａ）に示すように、１stクラスタが１ＲＢＧに単独割り当てされる場合には、開始ＲＢＧ番号と終了ＲＢＧ番号とが同一番号となり、１stクラスタのシグナリングができない。そこで、図４（ｂ）に示すように、総ＲＢＧ数に対して総ＲＢＧ番号数を２つ増やすことで、これに対応している。ここでは、隣接する開始ＲＢＧ番号及び終了ＲＢＧ番号により、１ＲＢＧに設定されたクラスタが示されることが定義される。
【００１８】
具体的には、１stクラスタは、ｎ番目のＲＢＧ＃ｎに単独割り当てされる場合には、開始ＲＢＧ番号ｎと終了ＲＢＧ番号ｎ＋１とで示される。また、１stクラスタは、ｎ番目からｍ番目のＲＢＧ＃ｎ−＃ｍに割り当てられる場合には、開始ＲＢＧ番号ｎと終了ＲＢＧ番号ｍ＋１とで示される。２ndクラスタは、ｉ番目のＲＢＧ＃ｉに単独割り当てされる場合には、開始ＲＢＧ番号ｉ＋１と終了ＲＢＧ番号ｉ＋２とで示される。また、２ndクラスタは、ｉ番目からｊ番目のＲＢＧ＃ｉ−＃ｊに割り当てられる場合には、開始ＲＢＧ番号ｉ＋１と終了ＲＢＧ番号ｊ＋２とで示される。
【００１９】
例えば、図４（ｂ）に示す例では、１stクラスタがＲＢＧ＃２、２ndクラスタがＲＢＧ＃９−＃１０に割り当てられ、基地局装置から移動端末装置に対して、ＲＢＧ番号「２」、「３」、「１０」、「１２」が通知される。このときの総ＲＢＧ番号数は「１５」であるため、シグナリングビット数を低く抑えた状態で、１ＲＢＧに対するクラスタの単独割り当てを可能としている。
【００２０】
また、上記のシグナリング方法では、図４（ｃ）に示すような、１stクラスタと２ndクラスタとが隣接する場合も含まれている。１stクラスタと２ndクラスタとが隣接する構成は不要であるため、図４（ｄ）に示すように、上記のシグナリング方法よりも総ＲＢＧ番号数を１つ減らしたシグナリング方法が考えられる。
【００２１】
この場合、１stクラスタは、ｎ番目のＲＢＧ＃ｎに単独割り当てされる場合には、開始ＲＢＧ番号ｎと終了ＲＢＧ番号ｎ＋１とで示される。また、１stクラスタは、ｎ番目からｍ番目のＲＢＧ＃ｎ−＃ｍに割り当てられる場合には、開始ＲＢＧ番号ｎと終了ＲＢＧ番号ｍ＋１とで示される。２ndクラスタは、ｉ番目のＲＢＧ＃ｉに単独割り当てされる場合には、開始ＲＢＧ番号ｉと終了ＲＢＧ番号ｉ＋１とで示される。また、２ndクラスタは、ｉ番目からｊ番目のＲＢＧ＃ｉ−＃ｊに割り当てられる場合には、開始ＲＢＧ番号ｉと終了ＲＢＧ番号ｊ＋１とで示される。
【００２２】
例えば、図４（ｄ）に示す例では、１stクラスタがＲＢＧ＃２、２ndクラスタがＲＢＧ＃４−＃５に割り当てられ、基地局装置から移動端末装置に対して、ＲＢＧ番号「２」、「３」、「４」、「６」が通知される。このときの総ＲＢＧ番号数は「１４」であるため、シグナリングビット数をさらに低く抑えた状態で、１ＲＢＧに対するクラスタの単独割り当てを可能としている。
【００２３】
ところで、システム帯域が２０ＭＨｚといった広帯域幅の場合には、シグナリングビット数を低減するためには、ＲＢＧサイズを４ＲＢにしなければならない。しかしながら、リソースの割り当て幅が荒くなり、ＲＢＧサイズを２ＲＢ程度まで細かくする場合と比較して十分な周波数スケジューリング効果が得られない可能性があった。一方、ＲＢＧサイズを２ＲＢとした場合には、上記した方法では、総ＲＢＧ番号数が増加して、シグナリングビット数が大幅に増大するという問題があった。
【００２４】
そこで、本発明者らは、この問題点を解決するために、本発明をするに至った。すなわち、本発明の骨子は、ＲＢＧサイズの細分化に伴ってシグナリングビット数が増大するのに着目し、相対的に大きなＲＢＧサイズのＲＢＧ番号を用いて、相対的に小さなＲＢＧサイズで割り当てられたクラスタを指示することである。この構成により、リソース割り当て用のシグナリング量の増加を抑えつつ、所定の周波数帯域に対するクラスタの詳細な割り当てを可能とし、周波数スケジューリング効果を増大可能としている。
【００２５】
以下、本発明の実施の形態について、添付図面を参照して詳細に説明する。図５を参照して、本実施の形態に係るシグナリング方法について説明する。なお、以下の説明においては、ＲＢＧサイズが４ＲＢのＲＢＧ番号を用いて、ＲＢＧサイズが２ＲＢの周波数帯域に割り当てられた各クラスタをシグナリングする方法について説明する。しかしながら、この実施例に限定されるものではなく、適宜変更が可能である。
【００２６】
図５は、ＲＢＧサイズを４ＲＢとした場合のシステム帯域を示している。各ＲＢＧの前半２ＲＢ及び後半２ＲＢは、それぞれクラスタを単独割り当て可能に構成されている。すなわち、このシステム帯域は、ＲＢＧサイズを２ＲＢとした相対的に小さなＲＢＧ毎に分割されており、この相対的に小さなＲＢＧによりＲＢＧサイズを４ＲＢとした相対的に大きなＲＢＧを構成している。
【００２７】
この場合、総ＲＢＧ数に対して総ＲＢＧ番号数を５つ増やすことで、各クラスタを１ＲＢＧの前半２ＲＢ及び後半２ＲＢに単独割り当て可能にしている。ここでは、隣接する開始ＲＢＧ番号及び終了ＲＢＧ番号により、１ＲＢＧに単独割り当てられたクラスタが示される。また、１つ置いて隣接する開始ＲＢＧ番号及び終了ＲＢＧ番号により、１ＲＢＧの前半２ＲＢに単独割り当てられたクラスタが示される。さらに、２つ置いて隣接する開始ＲＢＧ番号及び終了ＲＢＧ番号により、１ＲＢＧの後半２ＲＢに単独割り当てられたクラスタが示される。
【００２８】
具体的には、ＲＢＧ番号による割り当て位置の指示パターンは、例えば、以下のように規定される。１stクラスタ（第１のクラスタ）は、ｎ番目のＲＢＧ＃ｎに単独割り当てされる場合には、開始ＲＢＧ番号ｎと終了ＲＢＧ番号ｎ＋１とで示される。１stクラスタは、ｎ番目のＲＢＧ＃ｎの前半２ＲＢに単独割り当てされる場合には、開始ＲＢＧ番号ｎと終了ＲＢＧ番号ｎ＋２とで示される。１stクラスタは、ｎ番目のＲＢＧ＃ｎの後半２ＲＢに単独割り当てされる場合には、開始ＲＢＧ番号ｎと終了ＲＢＧ番号ｎ＋３とで示される。また、１stクラスタは、ｎ番目からｍ番目のＲＢＧ＃ｎ−＃ｍに割り当てられる場合には、開始ＲＢＧ番号ｎと終了ＲＢＧ番号ｍ＋３とで示される。
【００２９】
一方、２ndクラスタ（第２のクラスタ）は、ｉ番目のＲＢＧ＃ｉに単独割り当てされる場合には、開始ＲＢＧ番号ｉ＋２と終了ＲＢＧ番号ｉ＋３とで示される。２ndクラスタは、ｉ番目のＲＢＧ＃ｉの前半２ＲＢに単独割り当てされる場合には、開始ＲＢＧ番号ｉ＋２と終了ＲＢＧ番号ｉ＋４とで示される。２ndクラスタは、ｉ番目のＲＢＧ＃ｉの後半２ＲＢに単独割り当てされる場合には、開始ＲＢＧ番号ｉ＋２と終了ＲＢＧ番号ｉ＋５とで示される。また、２ndクラスタは、ｉ番目からｊ番目のＲＢＧ＃ｉ−＃ｊに割り当てられる場合には、開始ＲＢＧ番号ｉ＋２と終了ＲＢＧ番号ｊ＋５とで示される。
【００３０】
例えば、図５（ａ）に示すように、１stクラスタがＲＢＧ＃２、２ndクラスタがＲＢＧ＃９−＃１０に割り当てられる場合には、基地局装置から移動端末装置に対して、ＲＢＧ番号「２」、「３」、「１１」、「１５」が通知される。また、図５（ｂ）に示すように、１stクラスタがＲＢＧ＃２の前半２ＲＢ、２ndクラスタがＲＢＧ＃９−＃１０に設定される場合には、基地局装置から移動端末装置に対して、ＲＢＧ番号「２」、「４」、「１１」、「１５」が通知される。また、図５（ｃ）に示すように、１stクラスタがＲＢＧ＃２の後半２ＲＢ、２ndクラスタがＲＢＧ＃９−＃１０に設定される場合には、基地局装置から移動端末装置に対して、ＲＢＧ番号「２」、「５」、「１１」、「１５」が通知される。
【００３１】
このときの総ＲＢＧ番号数は「１８」であるため、シグナリングビット数の増加を低く抑えた状態で、１ＲＢＧの半サイズに割り当てられたクラスタのシグナリングを可能としている。このように、本実施の形態に係るシグナリング方法では、相対的に大きなＲＢＧサイズのＲＢＧ番号を用いて、相対的に小さなＲＢＧサイズに設定されたクラスタがシグナリングされる。このため、リソース割り当て用のシグナリングビット数を抑えて、システム帯域に対するクラスタの詳細な割り当てを可能としている。
【００３２】
なお、ＲＢＧ番号による割り当て位置の指示パターンは、基地局装置２０と移動端末装置１０との間で予め規定されていてもよいし、所定のタイミングで同期されてもよい。
【００３３】
また、このシグナリング方法では、隣接する開始ＲＢＧ番号及び終了ＲＢＧ番号により、１ＲＢＧに設定されたクラスタが示される構成としたが、この構成に限定されるものではない。１ＲＢＧに設定されたクラスタは、１つ置いて隣接する開始ＲＢＧ番号及び終了ＲＢＧ番号や、２つ置いて隣接する開始ＲＢＧ番号及び終了ＲＢＧ番号等により示される構成としてもよい。
【００３４】
また、このシグナリング方法では、１つ置いて隣接する開始ＲＢＧ番号及び終了ＲＢＧ番号により、１ＲＢＧの前半２ＲＢに設定されたクラスタが示される構成としたが、この構成に限定されるものではない。１ＲＢＧの前半２ＲＢに設定されたクラスタは、隣接する開始ＲＢＧ番号及び終了ＲＢＧ番号や、２つ置いて隣接する開始ＲＢＧ番号及び終了ＲＢＧ番号等により示される構成としてもよい。
【００３５】
また、このシグナリング方法では、２つ置いて隣接する開始ＲＢＧ番号及び終了ＲＢＧ番号により、１ＲＢＧの後半２ＲＢに設定されたクラスタが示される構成としたが、この構成に限定されるものではない。１ＲＢＧの後半２ＲＢに設定されたクラスタは、隣接する開始ＲＢＧ番号及び終了ＲＢＧ番号や、１つ置いて隣接する開始ＲＢＧ番号及び終了ＲＢＧ番号等により示される構成としてもよい。
【００３６】
また、このシグナリング方法では、ＲＢＧサイズが４ＲＢのＲＢＧ番号を用いて、ＲＢＧサイズが２ＲＢの周波数帯域に割り当てられた各クラスタをシグナリング可能な構成について説明したが、この構成に限定されるものではない。本発明は、相対的に大きなＲＢＧサイズのＲＢＧ番号を用いて、相対的に小さなＲＢＧサイズのＲＢＧまたはＲＢの周波数帯域に割り当てられた各クラスタの割り当て位置をシグナリングすればよい。例えば、本発明は、ＲＢＧサイズが２ＲＢのＲＢＧ番号を用いて、１ＲＢに割り当てられたクラスタの割り当て位置をシグナリングする構成としてもよいし、本発明は、ＲＢＧサイズが３ＲＢのＲＢＧ番号を用いて、１ＲＢに割り当てられたクラスタの割り当て位置をシグナリングする構成としてもよい。
【００３７】
図６を参照しながら、本発明の実施例に係る移動端末装置（UE）１０及び基地局装置（Node  B）２０を有する無線通信システム１について説明する。ここでは、ＬＴＥ−Ａシステムに対応する基地局装置及び移動局装置を用いる場合について説明する。図６は、本実施例に係る移動端末装置１０及び基地局装置２０及びを有する無線通信システム１の構成を説明するための図である。なお、図６に示す無線通信システム１は、例えば、ＬＴＥシステム或いは、ＳＵＰＥＲ  ３Ｇが包含されるシステムである。また、この無線通信システム１は、ＩＭＴ−Ａｄｖａｎｃｅｄと呼ばれても良いし、４Ｇと呼ばれても良い。
【００３８】
図６に示すように、無線通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００３９】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（UE：User  Equipment）でよい。
【００４０】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）及びクラスタ化ＤＦＴ拡散ＯＦＤＭが適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化ＤＦＴ拡散ＯＦＤＭは、非連続的なクラスタ化されたサブキャリアのグループ（クラスタ）を１台の移動局ＵＥに割り当て、各クラスタに離散フーリエ変換拡散ＯＦＤＭを適用することにより、上りリンクの多元接続を実現する方式である。
【００４１】
ここで、ＬＴＥシステムにおける通信チャネルについて説明する。
下りリンクの通信チャネルは、各移動端末装置１０で共有される下りデータチャネルとしてのＰＤＳＣＨ（Physical  Downlink  Shared  Channel）と、下りＬ１／Ｌ２制御チャネル（PDCCH、PCFICH、PHICH）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨ（Physical  Uplink  Shared  Channel）のスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。上位制御信号は、各コンポーネントキャリアにおいて適用される上りリンクの無線アクセス方式（SC-FDMA／クラスタ化DFT拡散OFDM）を移動端末装置１０に対して通知するＲＲＣシグナリングを含む。
【００４２】
上りリンクの通信チャネルは、各移動端末装置１０で共有される上りデータチャネルとしてのＰＵＳＣＨと、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【００４３】
図７を参照しながら、本実施の形態に係る基地局装置２０の全体構成について説明する。基地局装置２０は、送受信アンテナ２０１と、アンプ部２０２と、送受信部２０３と、ベースバンド信号処理部２０４と、呼処理部２０５と、伝送路インターフェース２０６とを備えている。下りリンクにより基地局装置２０から移動端末装置１０に送信されるユーザデータは、上位局装置３０から伝送路インターフェース２０６を介してベースバンド信号処理部２０４に入力される。
【００４４】
ベースバンド信号処理部２０４は、下りデータチャネルの信号に対して、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００４５】
また、ベースバンド信号処理部２０４は、報知チャネルにより、同一セル５０に接続する移動端末装置１０に対して、各移動端末装置１０が基地局装置２０との無線通信するための制御情報を通知する。当該セル５０における通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００４６】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００４７】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００４８】
ベースバンド信号処理部２０４は、上りリンクで受信したベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００４９】
呼処理部２０５は、通信チャネルの設定や解放等の呼処理や、基地局装置２０の状態管理や、無線リソースの管理を行う。
【００５０】
次に、図８を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部１０３と、ベースバンド信号処理部１０４と、アプリケーション部１０５とを備えている。
【００５１】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００５２】
一方、上りリンクのユーザデータは、アプリケーション部１０５からベースバンド信号処理部１０４に入力される。ベースバンド信号処理部１０４においては、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００５３】
図９は、本実施の形態に係る基地局装置２０が有するベースバンド信号処理部２０４及び一部の上位レイヤの機能ブロック図であり、主にベースバンド信号処理部２０４の送信処理の機能ブロックを示している。図９には、最大Ｍ個（ＣＣ＃１〜ＣＣ＃Ｍ）のコンポーネントキャリア数に対応可能な基地局構成が例示されている。基地局装置２０の配下となる移動端末装置１０に対する送信データが上位局装置３０から基地局装置２０に対して転送される。
【００５４】
制御情報生成部３００は、上位レイヤ・シグナリング（例えばＲＲＣシグナリング）する上位制御情報をユーザ単位で生成する。なお、上位制御情報は、ＲＢＧ番号による割り当て位置の指示パターンを含むことができる。また、上位制御情報は、移動端末装置１０に対して通知される上りリンクの無線アクセス方式を含むことができる。
【００５５】
データ生成部３０１は、上位局装置３０から転送された送信データをユーザ別にユーザデータとして出力する。コンポーネントキャリア選択部３０２は、移動端末装置１０との無線通信に使用されるコンポーネントキャリアをユーザ毎に選択する。
【００５６】
スケジューリング部３１０は、システム帯域全体の通信品質に応じて、配下の移動端末装置１０に対するコンポーンネトキャリアの割当てを制御する。上りリンクのスケジューリングにおいて、ＳＣ−ＦＤＭＡ又はクラスタ化ＤＦＴ拡散ＯＦＤＭのいずれかをダイナミック（サブフレーム毎）に制御する。クラスタ化ＤＦＴ拡散ＯＦＤＭが適用されるコンポーネントキャリア（上りリンク）では、クラスタ数及びクラスタのリソースが決定される。
【００５７】
また、スケジューリング部３１０は、各コンポーネントキャリアＣＣ＃１〜ＣＣ＃Ｍにおけるリソース割り当てを制御している。ＬＴＥ端末ユーザとＬＴＥ−Ａ端末ユーザとを区別してスケジューリングを行う。スケジューリング部３１０は、上位局装置３０から送信データ及び再送指示が入力されると共に、上りリンクの信号を測定した受信部からチャネル推定値やリソースブロックのＣＱＩが入力される。スケジューリング部３１０は、上位局装置３０から入力された再送指示、チャネル推定値及びＣＱＩを参照しながら、上下制御情報及び上下共有チャネル信号のスケジューリングを行う。移動通信における伝搬路は、周波数選択性フェージングにより周波数ごとに変動が異なる。そこで、移動端末装置１０へのユーザデータ送信時に、各移動端末装置１０に対してサブフレーム毎に通信品質の良好なリソースブロックを割り当てる（適応周波数スケジューリングと呼ばれる）。適応周波数スケジューリングでは、各リソースブロックに対して伝搬路品質の良好な移動端末装置１０を選択して割り当てる。そのため、スケジューリング部３１０は、各移動端末装置１０からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、３１２、変調部３０４、３０９、３１３に設定される。
【００５８】
また、クラスタ化ＤＦＴ拡散ＯＦＤＭが適用されるコンポーネントキャリア（上りリンク）では、各クラスタのリソースは、連続するリソースブロックをグループ化したＲＢＧ単位で決定される。このクラスタのリソースの決定において、ＲＢＧサイズが４ＲＢの場合、複数割り当て及び単独割り当てがサポートされ、ＲＢＧサイズが２ＲＢの場合、単独割り当てのみがサポートされる。例えば、図５（ａ）に示すように、ＲＢＧサイズが４ＲＢの場合、１stクラスタによるＲＢＧ＃２の単独割り当てや２ndクラスタによるＲＢＧ＃９−＃１０の複数割り当てが許容される。また、図５（ｂ）、（ｃ）に示すように、ＲＢＧサイズが２ＲＢの場合、１stクラスタによるＲＢＧ＃２の前半２ＲＢ、後半２ＲＢの単独割り当てが許容される。なお、ここでは、ＲＢＧサイズが４ＲＢ及び２ＲＢの場合について説明したが、この構成に限定されるものではない。相対的に大きなＲＢＧサイズのＲＢＧ場合に複数割り当て及び単独割り当てがサポートされ、相対的に小さなＲＢＧサイズの場合に単独割り当てがサポートされる構成であればよい。また、ＲＢＧサイズが１ＲＢとは、１リソースブロックを示してもよい。
【００５９】
ベースバンド信号処理部２０４は、１コンポーネントキャリア内での最大ユーザ多重数Ｎに対応したチャネル符号化部３０３、変調部３０４、マッピング部３０５を備えている。チャネル符号化部３０３は、データ生成部３０１から出力されるユーザデータ（一部の上位制御信号を含む）で構成される共有データチャネル（PDSCH）を、ユーザ毎にチャネル符号化する。変調部３０４は、チャネル符号化されたユーザデータをユーザ毎に変調する。マッピング部３０５は、変調されたユーザデータを無線リソースにマッピングする。
【００６０】
また、ベースバンド信号処理部２０４は、ユーザ固有の下り制御情報である下り共有データチャネル用制御情報を生成する下り制御情報生成部３０６と、ユーザ共通の下り制御情報である下り共通制御チャネル用制御情報を生成する下り共通チャネル用制御情報生成部３０７とを備えている。
【００６１】
下り制御情報生成部３０６は、ユーザ毎に決定したリソース割り当て情報、ＰＵＣＣＨの送信電力制御コマンド等からＰＤＣＣＨの下りリンク制御信号（DCI）を生成する。また、下り制御情報生成部３０６は、上りリンクの各レイヤが空間多重された受信信号に対するＨＡＲＱ用のＡＣＫ／ＮＡＣＫを生成する。
【００６２】
ベースバンド信号処理部２０４は、１コンポーネントキャリア内での最大ユーザ多重数Ｎに対応したチャネル符号化部３０８、変調部３０９を備えている。チャネル符号化部３０８は、下り制御情報生成部３０６及び下り共通チャネル用制御情報生成部３０７で生成される制御情報をユーザ毎にチャネル符号化する。変調部３０９は、チャネル符号化された下り制御情報を変調する。
【００６３】
また、ベースバンド信号処理部２０４は、上り制御情報生成部３１１と、チャネル符号化部３１２と、変調部３１３とを備える。上り制御情報生成部３１１は、上り共有データチャネル（PUSCH)を制御するための制御情報である上り共有データチャネル用制御情報（ＵＬグラント等）をユーザ毎に生成する。チャネル符号化部３１２は、上り共有データチャネル用制御情報をユーザ毎にチャネル符号化し、変調部３１３は、チャネル符号化した上り共有データチャネル用制御情報をユーザ毎に変調する。
【００６４】
また、上り制御情報生成部３１１は、ユーザ毎に決定した上りリンクのリソース割り当て情報（クラスタ）、ＭＣＳ情報及び冗長化バージョン(RV)、新規データか再送データかを区別する識別子（New  data  indicator）、ＰＵＳＣＨの送信電力制御コマンド（TPC）、復調用リファレンスシグナルのサイクリックシフト（CS  for  DMRS）、ＣＱＩリクエスト等から上りリンク割り当て情報を生成する。この場合、上りリンクの無線アクセス方式にクラスタ化ＤＦＴ拡散ＯＦＤＭが選択されたサブフレーム（コンポーネントキャリア）では、リソース割り当て情報は、各クラスタの開始ＲＢＧ番号及び終了ＲＢＧ番号、総ＲＢＧ番号数等から生成される。
【００６５】
開始ＲＢＧ番号および終了ＲＢＧ番号は、上記した本発明のシグナリング方法に従って、各クラスタの割り当て位置を指示する。例えば、図５（ａ）に示すように、１ＲＢＧに設定されたクラスタは、隣接する開始ＲＢＧ番号及び終了ＲＢＧ番号により指示される。図５（ｂ）に示すように、１ＲＢＧの前半２ＲＢに設定されたクラスタは、１つ置いて隣接する開始ＲＢＧ番号及び終了ＲＢＧ番号により指示される。図５（ｃ）に示すように、１ＲＢＧの後半２ＲＢに設定されたクラスタは、２つ置いて隣接する開始ＲＢＧ番号及び終了ＲＢＧ番号により指示される。
【００６６】
上記変調部３０９、３１３でユーザ毎に変調された制御情報は制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。ＩＦＦＴ部３１６は、下りチャネル信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３に送出される。
【００６７】
図１０は、移動端末装置１０が有するベースバンド信号処理部１０４の機能ブロック図であり、ＬＴＥ−ＡをサポートするＬＴＥ−Ａ端末の機能ブロックを示している。まず、移動端末装置１０の下りリンク構成について説明する。
【００６８】
基地局装置２０から受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換（ＦＦＴ：Fast  Fourier  Transform）して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御情報を取り出す。なお、デマッピング部４０３によるデマッピング処理は、アプリケーション部１０５から入力される上位制御情報に基づいて行われる。デマッピング部４０３から出力された多重制御情報は、デインタリーブ部４０４でデインタリーブされる。
【００６９】
また、ベースバンド信号処理部１０４は、制御情報を復調する制御情報復調部４０５、下り共有データを復調するデータ復調部４０６及びチャネル推定部４０７を備えている。制御情報復調部４０５は、多重制御情報から下り共通制御チャネル用制御情報を復調する共通制御チャネル用制御情報復調部４０５ａと、多重制御情報から上り共有データチャネル用制御情報を復調する上り共有データチャネル用制御情報復調部４０５ｂと、多重制御情報から下り共有データチャネル用制御情報を復調する下り共有データチャネル用制御情報復調部４０５ｃとを備えている。データ復調部４０６は、ユーザデータ及び上位制御信号を復調する下り共有データ復調部４０６ａと、下り共通チャネルデータを復調する下り共通チャネルデータ復調部４０６ｂとを備えている。
【００７０】
共通制御チャネル用制御情報復調部４０５ａは、多重制御情報（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部４１５に入力され、基地局装置２０への送信データの一部としてマッピングされる。
【００７１】
上り共有データチャネル用制御情報復調部４０５ｂは、多重制御情報（ＰＤＣＣＨ）のユーザ個別サーチスペースのブラインドデコーディング処理、復調処理、チャネル復号処理などによりユーザ固有の上りリンク割り当て情報である上り共有データチャネル用制御情報を取り出す。上りリンク割り当て情報は、上り共有データチャネル（ＰＵＳＣＨ）の制御に使用され、下り共有データチャネル用制御情報復調部４０５ｃ及び下り共通チャネルデータ復調部４０６ｂへ入力される。ここで、上りリンクの無線アクセル方式にクラスタ化ＤＦＴ拡散ＯＦＤＭが適用されている場合は、クラスタの割り当て位置を指示するリソース割り当て情報（ＲＢＧ番号）が取り出される。
【００７２】
下り共有データチャネル用制御情報復調部４０５ｃは、多重制御情報（ＰＤＣＣＨ）のユーザ個別サーチスペースのブラインドデコーディング処理、復調処理、チャネル復号処理などによりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部４０６へ入力される。
【００７３】
また、下り共有データチャネル用制御情報復調部４０５ｃは、下り共有データ復調部４０６ａで復調された上位制御情報に含まれる、ＰＤＣＣＨ及びＰＤＳＣＨに関する情報に基づいて、ユーザ固有サーチスペースのブラインドデコーディング処理を行う。
【００７４】
下り共有データ復調部４０６ａは、下り共有データチャネル用制御情報復調部４０５ｃから入力された下り共有データチャネル用制御情報に基づいて、ユーザデータや上位制御情報を取得する。上位制御情報は、チャネル推定部４０７に出力される。下り共通チャネルデータ復調部４０６ｂは、上り共有データチャネル用制御情報復調部４０５ｂから入力された上り共有データチャネル用制御情報に基づいて、下り共通チャネルデータを復調する。
【００７５】
チャネル推定部４０７は、コモン参照信号を用いてチャネル推定する。推定されたチャネル変動を、共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用参照信号を用いて下りリンク信号を復調する。
【００７６】
ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。
【００７７】
ＤＦＴ部４１４は、変調された送信データを離散フーリエ変換する。マッピング部４１５は、ＤＦＴ後のデータシンボルの各周波数成分を、基地局装置２０に指示されたサブキャリア位置へマッピングする。マッピング部４１５には、上り共有データチャネル用制御情報復調部４０５ｂから復調された各クラスタのリソース割り当て情報が通知される。上りリンクにクラスタ化ＤＦＴ拡散ＯＦＤＭが適用されている場合、マッピング部４１５は、リソース割り当て情報のＲＢＧ番号に指示される非連続な割り当て位置（サブキャリア位置）に、データシンボルの各周波数成分をマッピングする。また、上りリンクにＳＣ−ＦＤＭＡが適用されている場合、マッピング部４１５は、リソース割り当て情報に指示される連続の割り当て位置（サブキャリア位置）に、データシンボルの各周波数成分をマッピングする。
【００７８】
ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【００７９】
以上のように、本実施の形態に係る基地局装置２０によれば、相対的に小さなＲＢＧサイズ毎に割り当てられたクラスタの割り当て位置が、相対的に大きなＲＢＧサイズのＲＢＧ番号により移動端末装置１０に対して指示可能となっている。このため、周波数帯域に対する各クラスタの割り当てサイズの細分化に伴う、上りリンクのリソース割り当て用のシグナリング量の増加が抑えられる。このように、シグナリング量の増加を抑えつつ、周波数帯域に対する複数のクラスタの詳細な割り当てを可能とし、周波数スケジューリング効果を増大させることができる。
【００８０】
なお、上記した実施の形態においては、クラスタ数が２つである構成としたが、この構成に限定されるものではない。クラスタ数は、３つ以上であってもよい。クラスタ数が３つ以上の場合であっても、クラスタ数が２の場合と同様な方法により、相対的に大きなＲＢＧサイズのＲＢＧ番号を用いて、相対的に小さなＲＢＧサイズで割り当てられたクラスタを指示可能とする。
【００８１】
また、上記した実施の形態においては、１ＲＢＧの半ＲＢに対する１stクラスタ及び２ndクラスタの単独割り当てが許容される構成としたが、この構成に限定されるものではない。１ＲＢＧの半ＲＢに対する複数のクラスタのいずれかの単独割り当てが許容される構成としてもよい。例えば、１stクラスタだけが、１ＲＢＧの半ＲＢに単独割り当てされる場合、総ＲＢＧ番号数を減少させることができ、上りリンクのリソース割り当て用のシグナリングビット数をさらに少なくできる。
【００８２】
本発明は上記実施の形態に限定されず、様々変更して実施することが可能である。例えば、本発明の範囲を逸脱しない限りにおいて、上記説明におけるクラスタの割り当て、処理部の数、処理手順、クラスタの数、ＲＢＧサイズについては適宜変更して実施することが可能である。その他、本発明の範囲を逸脱しないで適宜変更して実施することが可能である。
【符号の説明】
【００８３】
１  無線通信システム
１０  移動端末装置
２０  基地局装置
１０１  送受信アンテナ
１０３  送受信部（送信部、受信部）
１０４  ベースバンド信号処理部
２０１  送受信アンテナ
２０３  送受信部（送信部）
２０４  ベースバンド信号処理部
３００  制御情報生成部
３０６  下り制御情報生成部
３１０  スケジューリング部
３１１  上り制御情報生成部
４０５  制御情報復調部
４０５ａ  共通制御チャネル用制御情報復調部
４０５ｂ  上り共有データチャネル用制御情報復調部
４１５  マッピング部
【図１】
0005298086.tif 000003
【図２】
0005298086.tif 000004
【図３】
0005298086.tif 000005
【図４】
0005298086.tif 000006
【図５】
0005298086.tif 000007
【図６】
0005298086.tif 000008
【図７】
0005298086.tif 000009
【図８】
0005298086.tif 000010
【図９】
0005298086.tif 000011
【図１０】
0005298086.tif 000012